(57)【要約】可視パターンは、デジタルサム値（ＤＳＶ）を変調することによって得られる。ＤＳＶの変調は直流制御点の間の複数の異なるチャネルビットグループの選択を可能にするので、チャネルのグループの選択は反射の変化をもたらす。このような可視パターンの生成は、チャネルコードのパリティ保持性質が直流制御ビットによるディスパリティ反転を保証するので、ブルーレイに極めて適している。これは、ＤＳＶ偏位をハード制限の間に保つ。結果として、小さい意図的なＤＳＶ変化しか格子を作るのに必要とされない。これにより、光ディスクのビット検出マージンは悪化しない。
2010538404.tif 000002
【特許請求の範囲】
【請求項１】
トラックと、
直流制御範囲内に制限された直流制御によって決定される設定点を有するデジタルサム値を有する複数のチャネルビットを表し、前記トラックに置かれている複数のマークと
を有する光ディスクであって、
限られた連続領域にある回折要素と、
前記回折要素によって形成される回折構造と
を更に有し、
夫々の回折要素は、前記設定点が前記限られた連続領域にあるデフォルト設定点からの変調設定点である場合に、前記トラックの放射状に少なくとも部分的に隣接する複数の区間にわたる複数のマークの整列によって形成され、
前記変調設定点は、前記トラックの前記放射状に隣接する複数の区間にわたる前記複数のマークの前記配列と関連する
ことを特徴とする光ディスク。
【請求項２】
前記回折構造は格子である、請求項１に記載の光ディスク。
【請求項３】
前記回折要素は、前記トラックの方向に直交して延在する、請求項１又は２に記載の光ディスク。
【請求項４】
前記回折要素は、該回折要素の大きさに等しい前記マークの位置の変化が前記回折構造の喪失をもたらすような大きさを有する、請求項１乃至３のうちいずれか一項に記載の光ディスク。
【請求項５】
前記回折構造は、視覚波長を有する光ビームの回折を引き起こすような寸法とされる、請求項１乃至４のうちいずれか一項に記載の光ディスク。
【請求項６】
前記視覚波長は、当該光ディスクの記録波長又は読取波長である、請求項５に記載の光ディスク。
【請求項７】
前記回折構造は、照射される場合に当該光ディスク上に視覚的マークを形成する、請求項５に記載の光ディスク。
【請求項８】
前記視覚的マークはロゴである、請求項７に記載の光ディスク。
【請求項９】
トラックと、直流制御範囲内に制限された直流制御によって決定される設定点を有するデジタルサム値を有する複数のチャネルビットを表し、前記トラックに置かれている複数のマークとを有する光ディスクの製造方法であって、前記光ディスクをマスターから複製するステップを有する方法において、
前記光ディスクは、
限られた連続領域にある回折要素と、
前記回折要素によって形成される回折構造と
を更に有し、
夫々の回折要素は、前記デジタルサム値が前記限られた連続領域にある前記設定点からの変調デジタルサム値である場合に、前記トラックの放射状に少なくとも部分的に隣接する複数の区間にわたる複数のマークの整列によって形成され、
前記変調デジタルサム値は、前記トラックの前記放射状に隣接する複数の区間にわたる前記複数のマークの前記配列と関連する
ことを特徴とする光ディスクの製造方法。
【請求項１０】
前記回折構造は格子である、請求項９に記載の光ディスクの製造方法。
【請求項１１】
前記回折要素は、前記トラックの方向に直交して延在する、請求項９又は１０に記載の光ディスクの製造方法。
【請求項１２】
前記回折要素は、該回折要素の大きさに等しい前記マークの位置の変化が前記回折構造の喪失をもたらすような大きさを有する、請求項９乃至１１のうちいずれか一項に記載の光ディスクの製造方法。
【請求項１３】
前記回折構造は、視覚波長を有する光ビームの回折を引き起こすような寸法とされる、請求項９乃至１２のうちいずれか一項に記載の光ディスクの製造方法。
【請求項１４】
前記視覚波長は、当該光ディスクの記録波長又は読取波長である、請求項１３に記載の光ディスクの製造方法。
【請求項１５】
前記回折構造は、照射される場合に当該光ディスク上に視覚的マークを形成する、請求項１３に記載の光ディスクの製造方法。
【請求項１６】
前記視覚的マークはロゴである、請求項１５に記載の光ディスクの製造方法。
【請求項１７】
違法にコピーされた光ディスクを見つけるための光ディスクの検査方法であって、
前記光ディスク上に回折構造を配置するステップと、
前記回折構造を、見つけられる場合に、照射するステップと、
前記回折構造の回折特性を観察するステップと、
前記回折構造の回折特性が観察されない場合に、前記光ディスクを、違法にコピーされた光ディスクと宣言するステップと
を有する光ディスクの検査方法。
【発明の詳細な説明】
【技術分野】
【０００１】
本発明は、トラックと、直流（ＤＣ）制御範囲内に制限された直流制御によって決定される設定点を有するデジタルサム値を有する複数のチャネルビットを表し、トラックに置かれている複数のマークとを有する光ディスクに関する。
【背景技術】
【０００２】
上記のような光ディスクは、米国特許第６４９６５４１号明細書（特許文献１）から知られる。特許文献１には、光ディスクに記録するチャネルコードが開示されている。この１７ＰＰチャネルコードはパリティを保持している。光ディスク上にウォーターマークを生成するよう、このコードは余分のコード語により拡張される。これにより、エンコーディングの際に、より高い又はより低い反射率をもたらすコード語の間で選択が行われる。しかし、これは、ほとんどのコード語が既にコードによって使用されており、未使用の利用可能なコード語が多くはない場合には、常に可能なわけではない。このように、常に最適な反射率が得られるわけではないので、結果は低品質となる。加えて、余分のコード語をコードに付加することは、これらの付加的なコード語を正確にデコードするためにデコーダが変更される必要があることを意味し、結果として、設置基盤との下位互換性の喪失が生ずる。
【０００３】
視覚パターンは、ディスクの検査によりそのディスクが本物のディスクであるか否かを判断することを可能にするウォーターマークの形態である。
【０００４】
ウォーターマークの挿入及び他のコピー防止対策は、家庭内のコピー及びプロの海賊版を阻止すべく行われている。
【先行技術文献】
【特許文献】
【０００５】
【特許文献１】米国特許第６４９６５４１号明細書
【発明の概要】
【発明が解決しようとする課題】
【０００６】
このようなウォーターマークを有する既知の記録担体は、また、これらのディスクが職業的なレーザビームレコーダ（ＬＢＲ）によって複製され得るという問題を有する。ＬＢＲは、光ディスク用の職業的なマスタリング設備である。このようなレーザビームレコーダによる既知のウォーターマークを有した記録担体の複製は、元の記録担体と区別することが難しい。
【０００７】
本発明は、容易にはコピーされ得ない検知可能なパターンを有する記録担体を提供することを目的とする。
【課題を解決するための手段】
【０００８】
上記目的を達成するよう、本発明に従う光記録担体は、
限られた連続領域にある回折要素と、
前記回折要素によって形成される回折構造と
を更に有し、
夫々の回折要素は、前記設定点が前記限られた連続領域にあるデフォルト設定点からの変調設定点である場合に、前記トラックの放射状に少なくとも部分的に隣接する複数の区間にわたる複数のマークの整列によって形成され、
前記変調設定点は、前記トラックの前記放射状に隣接する複数の区間にわたる前記複数のマークの前記配列と関連する
ことを特徴とする。
【０００９】
回折構造は、デジタルサム値の設定点を変調することによって得られる。直流制御は、チャネル語の可能なグループの間の選択を通してデジタルサム値を可能な限り設定点の近くに保つことを目標としているので、設定点の変調は、直流制御点の間の複数の異なるチャネルビットグループの選択が影響を受けることを可能にし、チャネルビットのグループの選択は、チャネルビットを表すトラック内のマークの再配置をもたらす。チャネルコードの制約範囲内において、選択は、チャネルビットの少なくとも２又はそれ以上のグループの間で、ひいてはマークのパターンの間で行われ得る。変調を通して設定点を一時的に変化させることによって、デジタルサム値をデフォルト設定点のより近くに持っていこうとする場合に、直流制御によって別なふうに行われる選択以外の他の選択が行われ得る。このようにして、デジタルサム値をデフォルト設定点のより近くに持っていこうとする代わりに、直流制御ループは変調設定点を与えられ、直流制御は、チャネルビットのグループの利用可能な選択からチャネルビットの最良のグループを選択することによって、デジタルサム値をその変調設定点のより近くに持っていくことを目標とする。設定点の変調及びチャネルビットの最良のグループのその後の選択は、トラックの放射状に隣接する区間でのマークの整列を可能にする。トラックの放射状に隣接する区間は、隣接するが、トラックの異なったワインディング（windings）に配置されている区間である。
【００１０】
トラックの放射状に隣接する区間にわたってマークを整列することによって、回折構造の回折要素は形成される。かかる回折構造は、容易に検出され得る特定の特徴を有し、また、コピー処理によって導入される微細な差は、回折構造を破損し又は阻害する。従って、無傷の回折構造の存在は、光ディスクが元の光ディスクであることを示す。一方、回折構造の弱化又は欠如は、光ディスクがコピーされた光ディスクであることを示す。光ディスクの適法性はこのようにして決定され得る。
【００１１】
留意すべきは、本発明は、当然に、また、限られた連続する領域の外側にある領域が同様に、しかし異なるやり方で、例えば、無相関の又は小さな振幅で、変調される場合にも機能して、限られた連続する領域とその外側の領域との間でコントラストを作り出す。
【００１２】
視覚的ウォーターマークは、例えばＤＶＤディスクで使用されて、コンテンツ情報を、チャネルコード規則における自由を用いてデジタルサブ値を変調することによって、視覚的なフォーマットでディスク上に記憶する。
【００１３】
このような可視パターンの生成は、チャネルコードのパリティ保持性質が直流制御ビットによるディスパリティ反転を保証するので、ブルーレイに極めて適している。これは、ＤＳＶ偏位をハード制限の間に保つ。結果として、設定点の変調による小さい意図的なＤＳＶ変化しか視覚的ウォーターマークを作るのに必要とされない。これにより、光ディスクのビット検出マージンは悪化しない。
【００１４】
留意すべきは、本明細書はブルーレイで用いられるチャネル符号化に言及するが、例えばＥＦＭ＋等の直流制御手段を有する他のチャネルコードも本発明の適用にとって適切である。ＥＦＭ＋では、標準の直流制御も、生成されるチャネルビットの直流コンテンツを最小限とするようコード語の選択に影響を及ぼし、かかる選択を操作することによって、可視パターンは得られる。
【００１５】
光ディスクの実施形態で、回折構造は格子（grating）である。
【００１６】
格子は、本発明により記録担体上に作られ得る光学構造である。格子は、反射態様で、又は透過態様で、格子に投影される光に対して回折効果を有する。かかる効果は容易に検出され得る。
【００１７】
格子は要素の配列によって形成され、格子の要素はマークの配列によって形成される。マークの円形、卵形又は線形の配列は格子の形成を可能にする。
【００１８】
光ディスクの更なる実施形態で、回折要素はトラックの方向に直交して延在する。
【００１９】
トラックの方向に直交して延在するように回折要素を位置付けることによって、回折要素間の距離は細かく制御され得、一方、かかる制御は、回折要素がトラックに沿って延在する場合には可能でない。なぜなら、この場合には、トラック間隔は、マークの間隔に対する障壁をより低いものとし、回折要素の間隔に不連続なステップをも導入するからである。
【００２０】
光ディスクの更なる実施形態で、回折要素は、回折要素の大きさに等しいマークの位置の変化が前記回折構造の喪失をもたらすような大きさを有する。
【００２１】
回折要素を可能な限り細くすることによって、同じ大きさのマークを形成するが回折要素の幅より小さいマークのシフトは、回折特性を低下させる。回折要素の端はマークのシフトのためにひだになり、あるいは、２つの回折要素の間の距離はシフトによって変更される。シフトによって引き起こされるいずれの効果も、回折構造全体の回折特性を低下させる。これは、お互いに対するマークの僅かのシフトが回折構造の回折特性の喪失を通して容易に検出され得ることを意味する。
【００２２】
光ディスクの更なる実施形態で、回折構造は、視覚波長を有する光ビームの回折を引き起こすような寸法とされる。回折構造の設計は、視覚波長によって回折構造の存在の検出を可能にするように、波長を変換するための更なるツールを用いずにヒトの目による検出を容易にする。
【００２３】
光ディスクの更なる実施形態で、視覚波長は光ディスクの記録波長又は読取波長である。
【００２４】
光ディスクの記録又は再生モードの波長を用いることによって、屈折構造が記録又は再生装置によって検出され得、かかる記録又は再生装置によって使用されるようなレーザを含む光源を用いるヒトによる視覚的な検出が可能である。格子は、記録又は再生装置によって使用されるような特定の波長に対して最適化され得、その波長は、記録又は再生装置から容易に入手可能なレーザを用いることによって容易に得られる。
【００２５】
光ディスクの更なる実施形態で、回折構造は、照射される場合に光ディスク上に視覚的マークを形成する。
【００２６】
回折構造は、容易に認識され且つ偽造者が再現するのがより困難であるマクロスケールでの形態を与えられ得、別の信頼性を提供する。更に、屈折要素の更なるシフトは、視覚マークでの回折効果の喪失をもたらし、視覚マークを残りの周囲領域と調和させる。屈折要素のシフトは、また、視覚マークの歪曲をももたらしうる。
【００２７】
光ディスクの更なる実施形態で、視覚マークはロゴである。光ディスクにロゴを生成するために本発明を用いることは、ロゴが所有者と結合されているので、真偽マークの所有者の容易な識別を可能にする。
【００２８】
違法にコピーされた光ディスクを見つけるための光ディスクの検査方法は、
前記光ディスク上に回折構造を配置するステップと、
前記回折構造を、見つけられる場合に、照射するステップと、
前記回折構造の回折特性を観察するステップと、
前記回折構造の回折特性が観察されない場合に、前記光ディスクを、違法にコピーされた光ディスクと宣言するステップと
を有する。
【００２９】
この方法を用いて、ディスクが光ディスク上に無傷の回折構造を有するオリジナルであるのか、あるいは、偽造、すなわち、損なわれた又は低下した回折特性を具えた損傷した回折構造を有する違法複製光ディスクであるのかどうか、が明らかにされ得る。
【００３０】
ウォーターマークは、固定ディスク回転モータを用いてビット単位コピーによってしか改竄され得ない。しかし、これは、ディスクエラーもコピーされるので、より低い品質のコピーを生み出しうる。データが再エンコードされる場合に、必要とされるＤＳＶ設定点は、ユーザデータ、データ位置、及びチャネルビットのＤＳＶ履歴に依存するために、取り出すことが極めて困難である。結果として、屈折構造パターンはもはや再現され得ない。
【００３１】
要約すると、本発明は次の利点を有する：
１．あらゆる光ディスク標準に適用可能であり、
２．回折構造が光ディスク上に含まれ、
３．フォーマット変更が不要である。
【００３２】
回折構造は実質的にウォーターマークとして機能し、また、ＤＳＶ変調での波長又は振幅変化としてエンコードされるマスタ番号、製造者、又は隠しメッセージに関する付加的な情報を有してよい。これらのデータは、例えば、（チャネルコード雑音を抑制するようＰＬＬにおける変遷を観察する）“ファスト・スライサ（fast-slicer）”、又は単純なフィードバック・スライサによって、検出信号で直流偏差として検出されてよい。
【００３３】
更に、過度の高速ＤＳＶ偏位は検出回路によって追従され得ず、余分のジッタ（ビットエラー）を導入しうる。従って、回折構造を生成するために用いられる振幅及びバンド幅を制限することが賢明である。
【図面の簡単な説明】
【００３４】
【図１】記録装置のブロック図を示す。
【図２】記録装置で一般に用いられるエンコーダを示す。
【図３】本発明に従う記録装置のエンコーダを示す。
【図４】本発明に従う記録装置のエンコーダの他の実施形態を示す。
【図５】チャネルビットの２つのグループ間の比較を示す。
【図６】格子を得るよう隣接トラックに整列されたチャネルビットを有する光ディスクの区間を示す。
【図７】格子を得るよう隣接トラックに整列されたチャネルビットを有する光ディスクの他の区間を示す。
【図８】中間の反射率を有する光ディスクの区間を示す。
【図９】直流制御によらない複製の効果を示す。
【図１０】直流制御による複製の効果を示す。
【発明を実施するための形態】
【００３５】
本発明は、図に基づいて論じられる。
【００３６】
図１は、記録装置のブロック図を示す。
【００３７】
記録装置１は、入力部３で受け取ったユーザデータを光記録担体８に記録するよう配置されている。このために、記録装置１はデータフォーマッタ４を有する。データフォーマッタ４は、入力部３からユーザデータを受け取って、このユーザデータがどのようなフォーマットで光ディスク８に記録されるべきかを決定する。結果として得られるフォーマットデータは、データフォーマッタ４によってエラー訂正エンコーダ５へ供給され、エラー訂正エンコーダ５は、データフォーマッタ４から受け取ったデータにエラー訂正コードを適用する。このようにエラー訂正エンコードを受けたデータは、その後、エラー訂正エンコーダ５によってチャネルコーダ６へ供給される。チャネルコーダ６は、エラー訂正エンコードを受けたデータへチャネルコードを適用する。これにより、エラー訂正エンコードを受けたデータは、光ディスク８に記録されるのにより適する。チャネルエンコーダ６は、例えば、エラー訂正エンコードを受けたデータへ、制約を伴うランレングス有限なコードを適用する。他の更なる具体例は、１７ＰＰパリティ保持チャネルコードである。これは、しばしば、光ディスク用の記録装置においてチャネルコーダによって用いられる。
【００３８】
チャネルエンコーダ６の結果はチャネルビットのグループであり、これらはチャネルエンコーダ６によってフロントエンド７へ供給される。フロントエンド７では、記録モードにある場合に、チャネルビットのグループは、チャネルエンコーダ６によって供給されるチャネルビットのグループに対応する光ディスク上のマークを記録するための変調レーザビームへと変換される。フロントエンド７は、偏光手段（polarisation  means）、偏向手段（deflection  means）、フィルタ手段等を有しうる光学的な光路を有する。
【００３９】
最終結果は、光ディスク上のトラックに記録されたチャネルビットを有する光ディスク８である。
【００４０】
典型的な記録装置１の他の部分は、再生部９、１０、１１及び１２である。光ディスク８からマークを読み出す場合に、読み出しモードで、フロントエンド７は、マーク／ランドパターンをチャネルビットのグループへと変換し、これらのチャネルビットのグループをチャネルデコーダ９へ供給する。チャネルデコーダ９は、チャネルエンコーダ６と逆の機能を実行して、エラー訂正エンコードを受けたデータが得られるようにチャネルコードを取り除く。チャネルデコーダ９は、チャネルビットのグループからデコードされる、エラー訂正エンコードを受けたデータを、エラー訂正デコーダ１０へ供給する。エラー訂正デコーダ１０は、エラー訂正エンコードを受けたデータに依存してエラー訂正を実行し、存在する場合であって且つ検出／訂正が可能である場合に、あらゆるエラーを検出／訂正する。エラー訂正デコーダ１０の出力はフォーマットデータであり、このデータはデータデフォーマッタ１１へ供給される。データデフォーマッタ１１は、フォーマットデータからフォーマットを取り除き、結果として得られるユーザデータを記録装置の出力部１２へ供給する。
【００４１】
図２は、記録装置で一般に用いられているチャネルエンコーダを示す。
【００４２】
本発明を説明するよう、直流制御を有する１７ＰＰチャネルエンコーダ６は当該技術で知られており且つブルーレイ・ディスク・レコーダで使用されるので、１７ＰＰチャネルエンコーダ６について最初に説明する。
【００４３】
１７ＰＰチャネルエンコーダ６は入力部１３を有する。入力部１３では、図１で説明されたように、エラー訂正符号化されたデータが受け取られる。このデータは、第１の１７ＰＰコーダ１４ａ及び第２の１７ＰＰコーダ１４ｂへ供給される。‘０’ビットが、ビットの第１連結グループを得るようビットのグループの前に挿入され、第１の１７ＰＰコーダ１４ａは、このビットの第１連結グループをエンコードする。この結果、１７ＰＰエンコードを受けたビットの第１グループが得られる。
【００４４】
並行して、‘１’ビットが、ビットの第２連結グループを得るようビットのグループの前に挿入され、第２の１７ＰＰコーダ１４ｂは、このビットの第２連結グループをエンコードする。この結果、１７ＰＰエンコードを受けたビットの第２グループが得られる。
【００４５】
１７ＰＰエンコードを受けたビットの第１グループ及び１７ＰＰエンコードを受けたビットの第２グループは両方とも直流制御ユニット１７へ供給される。記録のためにフロントエンド７へ供給されるチャネルビットのランニング・デジタルサム又はデジタルサム値としても知られる直流コンテンツを最小限とすることが、この直流制御ユニット１７のタスクである。直流コンテンツのこのような最小化は、チャネルビットの記録及び取り出しにとって有益である。
【００４６】
直流コンテンツを最小限とするよう、直流制御ユニット１７は、スイッチ１６を操作して、１７ＰＰエンコードを受けたビットの第１グループ又は１７ＰＰエンコードを受けたビットの第２グループのうちいずれか一方を選択することができる。直流制御ユニット１７は、１Ｔ前置コーダ（precoder）１８へ、そしてその後にチャネルエンコーダ６の出力部１９へ送信されるべきこれらのグループのうちの１つを選択する。
【００４７】
１７ＰＰエンコードを受けたチャネルビットのグループのデジタルサム値、すなわち直流コンテンツ、を決定するために、１Ｔ前置コーダ１８の出力は積分器２０によって積分され、その積分の結果は直流制御ユニット１７へ供給される。
【００４８】
記録されるチャネルビットにおける直流コンテンツを可能な限り低くするためにデジタルサム値ＤＳＶを可能な限りゼロ（又は他の一定値）の近くに保つことが、直流制御ユニット１７の目標である。
【００４９】
レコーダ又は再生装置のフロントエンド７でのサーボループは、回復されるチャネルビットが最小限の直流コンテンツを有する場合により良く動作する。また、読出モードでのビット検出は低直流コンテンツを有して改善される。
【００５０】
図３は、本発明に従う記録装置のエンコーダを示す。
【００５１】
これまでは、光ディスクでの可視パターンの生成は、実際のチャネルコードを変更することによって実現されたが、これは、互換性の問題と、チャネルコード性能の低下とをもたらす。本発明は、１７ＰＰエンコードを手つかずのままとすることによって、これらの問題を回避する。従って、かかる手つかずの１７ＰＰチャネルコードのデコードも影響を及ぼされず、従って、既存のインストールされている再生装置との本発明に従う光ディスクの互換性が保証される。
【００５２】
チャネルコード自体を変更することに代えて、直流制御が変更される。この利点は、適切に行われる場合に、データの読出の間のサーボループ及びビット検出が影響を及ぼされず、また、反射率の有意な変化が達成されて効果的に制御される点である。
【００５３】
このために、チャネルエンコーダ６は、積分器２０と直流制御ユニット１７との間に加算装置２２（又は制御されるように積分器２０の出力に作用する何らかの他の装置）を付加することによって変形される。積分器２０の出力には、チャネルエンコーダ６の新しいウォーターマーク入力部２１へ供給される値が加えられる。
【００５４】
積分器２０が正常に動作しており、例えば、実際に０のＤＳＶを出力しているとすれば、直流制御ユニット１７は、ウォーターマーク入力部２１が値を供給される場合に、０とは異なる値を受け取る。例えば、ウォーターマーク入力部２１は＋３の値を供給され、積分器２０は加算装置２２に‘０’の値を供給している場合に、直流制御ユニット１７は値‘３’を受け取って、受け取った‘３’の値を‘０’に減じようと１７ＰＰエンコードを受けたビットの別のグループを選択し始める。直流制御ユニット１７がこの目標を達成すると、出力チャネルビットの実効的なＤＳＶは‘−３’となりうる。このようにして、ウォーターマーク入力部２１で受け取られる値は、元のシステムの設定点（‘０’）を、どんな値がウォーターマーク入力部２１へ供給されようとも、負へと変化させる。上記の例で、設定点は‘−３’へ変化する。明らかに、加算装置２２の極性を変えることによって、入力値から設定点値への変換の極性は変化しうる。
【００５５】
例えば、設定点の増大は、実験システムにおいて、より低い反射率を有する領域をもたらし、幾つかの隣接するトラックがそのようにして取り扱われた場合により暗く目には映ることが知られる。
【００５６】
図４は、本発明に従う記録装置のエンコーダの他の実施形態を示す。
【００５７】
積分器２０と直流制御ユニット１７との間の加算装置２２の代替は、１Ｔ前置コーダ１８の出力部と積分器２０の入力部との間に挿入される加算装置２３（又は制御されるように積分器２０の入力に作用する何らかの他の装置）である。加算装置２３は、また、チャネルエンコーダ６のウォーターマーク入力部２４へも結合されている。
【００５８】
値がウォーターマーク入力部２４へ与えられる場合に、この値はチャネルビットのディスパリティへ付加される。積分器２０による積分の後、直流制御ユニット１７は、必然的に、（ウォーターマーク入力部２４での値が正である場合に）より高い値を供給され、直流制御ユニット１７は、図３で説明されたように、１７ＰＰエンコードを受けたビットの別のグループを選択し始める。また、留意すべきは、ウォーターマーク入力部２４でのウォーターマーク値がより長い時間供給される場合に、そのウォーターマーク値は同様に積分され、故に、一定値がＤＳＶの更に高い偏差をもたらしうる。（極性が交互に変わる）交番入力は、ＤＳＶの長時間平均を一定に保ちうる。
【００５９】
図５は、チャネルビットの２グループ間の比較を示す。図２の記載を再度参照すると、１７ＰＰエンコードを受けたビットの第１グループ２５及び１７ＰＰエンコードを受けたビットの第２グループ２８が生成された。図５には、かかるチャネルビットの第１グループ２５が、光ディスク上のそれらの対応するマーク及びランドの第１グループ２６とともに示されている。明らかなように、マークはランドによって中断されているが、多数のマークが存在しており、特に、当該処理が幾つかの隣接トラックへ提供される場合には、反射率は低下し、この領域で光ディスクはより暗くなる。
【００６０】
図５には、かかるチャネルビットの第２グループ２８が、同様に、光ディスク上のマーク及びランドのそれらの対応するグループ２９とともに示されている。明らかなように、マークはランドによって中断されているが、１７ＰＰエンコードを受けたビットの第１グループ２５と比較して、存在するマークは少なく、先と同じく、特に、当該処理が幾つかの隣接トラックへ提供され、以降の図で説明されるように可能な限り多くギャップ及びランド領域を整列しようとする場合には、反射率は増大し、この領域で光ディスクはより明るくなる。
【００６１】
図６は、格子を得るよう隣接トラックに整列されるチャネルビットを有する光ディスクの区間を示す。
【００６２】
トラックの夫々放射状に隣接する区間におけるマーク及びランドのパターンは、図５のマーク及びランドの第１グループ２６と同じとされる。従って、トラックの４つの放射状に隣接する区間２６ａ、２６ｂ、２６ｃ及び２６ｄでは、同じパターンが用いられている。留意すべきは、隣接トラック上に同じパターンを有することは、追って示されるように、必要とされない。マークの整列のほとんどを維持することによって回折構造の本質をそのままとする、低減されたマークサイズとして２つの区間２６ｂ及び２６ｃで示される変形が許容され得る。回折要素はその機能を維持する。
【００６３】
明らかなように、比較的多数のマークが存在し、ディスクのこの区間の反射率は比較的低いので、光ディスクには比較的暗い領域が生ずる。隣接するマーク３１ａ、３１ｂ、３１ｃ及び３１ｄは回折要素３１を形成し、明らかなように、図６では、この場合に、トラックの方向に直交して延在する。
【００６４】
残りの回折要素３２、３３、３４、３５及び３６は、第１回折要素３１とともに、回折構造を形成する。この特定の場合に、回折構造は格子であるが、回折要素の他の整列は単なる格子以外の他の回折構造の生成を可能にする。図６に示される格子は、低い反射率／透過率を有する格子である。
【００６５】
図７は、格子を得るよう隣接トラックに整列されるチャネルビットを有する光ディスクの他の区間を表す。
【００６６】
マーク及びランドのパターンは、図５のマーク及びランドの第２グループ２９と同じとされる。留意すべきは、隣接トラック上に同じパターンを有することは、追って示されるように、必要とされない。回折構造の本質をそのままとする、例えばマーク３７ｂ及び３９ｄにおける小さな変形は、回折要素がそれらの機能を維持する限り、許容され得る。
【００６７】
明らかなように、比較的多数のマークが存在し、ディスクのこの区間の反射率は比較的低いので、光ディスクには比較的暗い領域が生ずる。隣接するマーク３７ａ、３７ｂ、３７ｃ及び３７ｄは回折要素３７を形成し、明らかなように、図７では、この場合に、トラックの方向に直交して延在する。
【００６８】
残りの回折要素３８及び３９は、第１回折要素３７とともに、回折構造を形成する。この特定の場合に、回折構造は格子であるが、回折要素の他の整列は単なる格子以外の他の回折構造の生成を可能にする。図７に示される格子は、高い反射率／透過率を有する格子である。
【００６９】
このようにして得られる反射率／透過率の変化は、回折構造に回折特性のみならず反射率／透過率の変化をも提供することによって、特別な機能が回折構造に付加されることを可能にし、回折構造が配置される領域の検出を対応する光源の使用によらずに可能にする。これは、光ディスクを検査する場合に、ディスク全体が、正確な波長を有する光源を用いて走査される必要はなく、検査のための領域が反射率／透過率の変化により狭められ得ることを意味する。
【００７０】
図８は、部分的に整列された格子を有する光ディスクの区間を示す。
【００７１】
図８は、要素がトラックの方向に直交しない回折構造を有する光ディスクの区間を示す。
【００７２】
回折構造は、また、直線でなく且つトラックに直交しない回折要素を有してよい。図８は、回折要素４０、４１、４２及び４３がトラックに直交しない例を示す。
【００７３】
示されるように、各回折要素４０、４１は、トラックの放射状に少なくとも部分的に隣接する複数の区間４４ａ、４４ｂ及び４４ｃにわたって、複数のマーク４０ａ、４０ｂ、４０ｃ、４１ａ、４１ｂ及び４１ｃの配列によって形成されている。
【００７４】
区間４４ａ、４４ｂ及び４４ｃが少なくとも部分的に隣接する限り、連続する回折要素が生成され得る。区間４４ａ、４４ｂ及び４４ｃがもはや部分的に隣接しない場合は、違法複製によるマークの位置のシフトは、区間４４ａ、４４ｂ及び４４ｃが少なくとも部分的に隣接する場合と同じく有効に回折構造の回折特性を低下させない。
【００７５】
図９は、直流制御によらない複製の効果を示す。
【００７６】
元のディスクが図８に示されるようなウォーターマークを有して生成されたとすると、違法複製は、直流制御情報がビット検出器のスライサ及びその後のデコードによって取り除かれるので、直流制御情報の喪失を生じうる。従って、直流コンテンツ情報は容易にはアクセス可能でない。斯かる情報が違法コピーに記録されるよう再エンコードされる場合に、そのレコーダの直流制御ユニットは異なる決定を行い、１７ＰＰエンコードを受けたビットのグループの選択は図８とは異なる。従って、図９で、中央のトラック４４ｂは、異なったパターンのチャネルビット、ひいてはマーク及びランドを有する。マーク４０ａ、４０ｃ及び４０ｄはもはや適切に整列されず、もはや回折要素を形成しないので、格子の回折特性は損なわれる。
【００７７】
このようにしてウォーターマークは変更される。これは容易に検出され得る。これは、ウォーターマーク入力値がなく且つ全く異なった決定が行われうるので、より一層大きなスケールで実際の光ディスクで起こり、図８のウォーターマークをより一層完全に破損する。
【００７８】
また、レコーダにとって、ウォーターマーク入力値と、チャネルビットが記録されうる記録領域との間で必要とされる空間的相関を確立することは極めて困難である。ＬＢＲでは、かかる相関は、適法な光ディスクの元の製造者によって確立され得る。
【００７９】
図１０は、保持された直流制御情報を有する、ビット単位のコピーによる又は再エンコードによる複製の効果を示す。
【００８０】
直流制御情報が保持され得る場合でさえ、記録されるマーク及びランドのグループの空間位置は、マスタリング設備の機械的な許容範囲のために、制御するのが極めて困難である。図１０で、マーク及びランドのグループは図８と同じであるが、お互いに対するシフトが起こっている。
【００８１】
結果として得られるパターンは、マーク及びランドの第２グループが整列する図８での元の状況と比較されるべきである。図１０に示される小さなシフトは、慎重に設計されているウォーターマークを損なう。
【図１】
2010538404.tif 000003
【図２】
2010538404.tif 000004
【図３】
2010538404.tif 000005
【図４】
2010538404.tif 000006
【図５】
2010538404.tif 000007
【図６】
2010538404.tif 000008
【図７】
2010538404.tif 000009
【図８】
2010538404.tif 000010
【図９】
2010538404.tif 000011
【図１０】
2010538404.tif 000012
【国際調査報告】
2010538404.tif 000013
2010538404.tif 000014
2010538404.tif 000015